(57)【要約】      （修正有）【課題】確実に便座に固定させることができるとともに、何度も貼り直すことができる便座シートを提供する。【解決手段】洋式トイレの便座４に用いられる水溶性の使い捨て便座シートＳであって、便座４の上面４ａに敷設される便座シート本体１を備える。便座シート本体１は、便座４の中央の開口部４ｈに対応する位置に設けられた開口部を有する。また、便座シート本体１は、貼り直し可能な接着剤が塗布された接着部１０を裏面に複数有する。【選択図】図２
0003224546.tif 000002
【実用新案登録請求の範囲】
【請求項１】
洋式トイレの便座に用いられる水溶性の使い捨て便座シートであって、
前記便座の中央の開口部に対応する位置に設けられた開口部を有するとともに、前記便座の上面に敷設される便座シート本体を備え、
前記便座シート本体は、貼り直し可能な接着剤が塗布された接着部をその裏面に複数有する
ことを特徴とする便座シート。
【請求項２】
前記接着剤は、水を含まず、かつ、天然ゴムと揮発性の有機溶剤と、を含む、
ことを特徴とする請求項１に記載の便座シート。
【請求項３】
前記便座シート本体から連続し、前記便座シート本体が前記便座に敷設されたとき、前記便座の側壁前方と、便器の側壁前方とを覆うよう所定の長さを有する前垂下部をさらに備える
ことを特徴とする請求項１または２に記載の便座シート。
【請求項４】
前記前垂下部は、前記便座および前記便器の形状に適合するように、切れ込みを有する
ことを特徴とする請求項３に記載の便座シート。
【請求項５】
前記便座シート本体および前記前垂下部は、水溶紙または水溶性プラスチックフィルムから構成されている
ことを特徴とする請求項４に記載の便座シート。
【請求項６】
前記便座シート本体および前記前垂下部の厚みは、１０〜１００μｍである
ことを特徴とする請求項５に記載の便座シート。
【考案の詳細な説明】
【技術分野】
【０００１】
本考案は、洋式トイレ用の使い捨て便座シートに関する。特に、水溶性であるとともに、一時的に便座に固定可能な便座シートに関する。
【背景技術】
【０００２】
近年、家庭における洋式トイレの普及にともない、駅や公園など不特定多数の人が利用する公衆トイレにおいても洋式トイレの設置がすすんでいる。洋式トイレは、和式のトイレと異なり、便座に座って使用する。そこで、衛生的および利便性の観点から使い捨ての便座シートが開発されてきた。
【０００３】
例えば、特許文献１に開示の便座シートは、材質がトイレットペーパーと同質の水溶性の紙からなり、その所要広さの中央部に一定広さの楕円状の取り除き用切り取りミシン目が設けられている。この便座シートは、材質がトイレットペーパーと同質であるので、使用後には、水で流すことができる。
【０００４】
ところで、使い捨て便座シートは、水に流せるように薄く軽い材質から構成されているので、使用者に座られると位置がずれることがあった。そこで、例えば、特許文献２に開示の便座シートのように、裏面に接着部を有し、接着部によって便座に固定することができる便座シートが開発されてきた。
【０００５】
しかしながら、便座シートを便座の所望の位置に固定させることに失敗すると便座シートの貼り直しが必要であるが、特許文献２には、貼り直しについて特に言及されておらず、この便座シートは、一度剥がされると再び接着させることが困難な可能性があった。
【先行技術文献】
【特許文献】
【０００６】
【特許文献１】実開昭５２−４４６５１号公報
【特許文献２】特開４９−０９００６１号公報
【考案の概要】
【考案が解決しようとする課題】
【０００７】
そこで、本考案が解決しようとする課題は、確実に便座に固定させることができるとともに、何度も貼り直すことができる便座シートを提供することにある。
【課題を解決するための手段】
【０００８】
上記課題を解決するために、本発明に係る便座シートは、
洋式トイレの便座に用いられる水溶性の使い捨て便座シートであって、
便座の中央の開口部に対応する位置に設けられた開口部を有するとともに、便座の上面に敷設される便座シート本体を備え、
便座シート本体は、貼り直し可能な接着剤が塗布された接着部をその裏面に複数有する、ことを特徴とする。
【０００９】
上記便座シートは、好ましくは、
接着剤が、水を含まず、かつ、天然ゴムと揮発性の有機溶剤と、を含む。
【００１０】
上記便座シートは、好ましくは、
便座シート本体から連続し、便座シート本体が便座に敷設されたとき、便座の側壁前方と、便器の側壁前方とを覆うよう所定の長さを有する前垂下部をさらに備える。
【００１１】
上記便座シートは、好ましくは、
前垂下部が、便座および便器の形状に適合するように、切れ込みを有する。
【００１２】
上記便座シートは、好ましくは、
便座シート本体および前垂下部が、水溶紙または水溶性プラスチックフィルムから構成されている。
【００１３】
上記便座シートは、好ましくは、
便座シート本体および前垂下部の厚みが、１０〜１００μｍである。
【考案の効果】
【００１４】
本考案の便座シートは、接着剤が塗布された接着部を有するので確実に便座に固定させることができるとともに、この接着剤が貼り直し可能な接着剤なので何度も貼り直すことができる。
【図面の簡単な説明】
【００１５】
【図１】本考案の一実施形態に係る便座シートの裏面を示す平面図である。
【図２】図１の便座シートを洋式トイレの便座に敷設した斜視図である。
【考案を実施するための形態】
【００１６】
以下、図を参照しつつ、本考案の便座シートの一実施形態について説明する。なお、図１における前後方向および左右方向は図１中のＹ方向およびＸ方向を基準とする。また、図２における前後方向は、給水タンクＴが配置されている側を後方、反対側を前方とする。
【００１７】
図１は、本実施形態に係る便座シートＳの裏面を示す平面図である。便座シートＳは、洋式トイレの便座４の上面に敷設して用いられる。
【００１８】
図１に示すように、便座シートＳは、便座シート本体１と、前垂下部２と、を備える。便座シートＳは、水溶性のシートで構成されている。より詳しくは、便座シートＳは、水溶紙または水溶性プラスチックフィルムから構成されている。便座シートＳの厚みは、好ましくは、１０〜１００μｍであり、より好ましくは、１０〜３０μｍである。
【００１９】
便座シート本体１は、Ｙ方向後側を便座４の上面４ａの後方に敷設され、Ｙ方向前側を便座４の上面４ａの前方に敷設されるように構成されている。便座シート本体１は、開口部１ｈと、貼り直し可能な接着剤が塗布された接着部１０と、を有する。
【００２０】
開口部１ｈは、便座シート本体１の中央であって、便座４の中央の開口部４ｈに対応する位置に予め設けられている。
【００２１】
接着部１０は、便座シートＳの裏面に複数（本実施形態では、５つ）設けられており、より具体的には、便座シート本体１の後側の左右、Ｙ方向中央の左右、前側のＸ方向中央にそれぞれ設けられている。なお、本実施形態に係る接着部１０の形状、範囲および数は、単なる一例であってこれに限定されない。
【００２２】
接着剤は、便座シート本体１を便座４に何度も貼り直し可能なように構成されている。接着剤は、主に天然ゴムと有機溶剤から構成されており、かつ、水を含んでいない。より具体的には、接着剤は、ペーパーセメント（商品名）からなる。ペーパーセメントは何度も貼り直し可能であるとともに、剥がしたときに剥がし跡が残らないという特徴を有する。したがって、便座シートＳは、便座４に何度も貼り直すことができ、しかも使用後に剥がされたときに剥がし跡を便座４に残さない。
【００２３】
さらに、ペーパーセメントは、水を含んでいないので塗布された紙を波打たせないという特徴を有する。例えば、上記特許文献２に開示の便座シートＳのように一時的に便座４に接着させるタイプの便座シートＳは、塗布された接着剤の量が少ないと、使用者がこの便座シートＳの上に座ったときに位置がずれる可能性があった。そこで、この便座シートＳに接着剤を多く塗布することが考えられるが、この場合、便座シートＳがよれて変形し、使用者の座り心地を悪化させるといった問題があった。一方、本実施形態の便座シートＳは、接着剤を多く塗布しても波打つことがないので、便座４にしっかりと固定され、しかも使用者の座り心地が悪化することを防止することができる。
【００２４】
前垂下部２は、便座シート本体１から連続し、便座シート本体１が便座４に敷設されたとき、便座４の側面４ｂの前側部分と、便器３の上部３ａの側面の前側部分とを覆うよう所定の長さを有する。所定の長さは、具体的には、５０ｍｍ〜１５０ｍｍである。これにより、前垂下部２は、使用者が便座シートＳに座ったとき、便座４の側面４ｂの前側部分および便器３の上部３ａの側面の前側部分に使用者が接触することを防止することができる。便座シート本体１と前垂下部２との境には、谷折り線Ｌが設けられている。これにより、便座シートＳを便座４に敷設したとき、前垂下部２が自然と便座４の前方に垂れ下がる。
【００２５】
前垂下部２は、Ｘ方向中央において、後側から前側に延びる切れ込み２ｃを有する。これにより、前垂下部２は、使用者が便座シートＳに座ったとき便座４および便器３の形状に適合し、しわになることを防止することができる。なお、切れ込み２ｃの数は、複数でもよい。
【００２６】
次に図２を参照して、便座シートＳが便座４に敷設された状態を説明する。
【００２７】
図２に示すように、便器３は、基部３ｂと上部３ａとから構成されている。便座４は、その後部を回動可能に軸支され、便器３の上に設けられている。
【００２８】
便座シートＳは、便座シート本体１の裏面を便座４の上面４ａに向けられ、前垂下部２が前方に配置され、開口部１ｈの位置が便座４の開口部４ｈの位置に配置され、かつ、便座シート本体１が便座４の上面４ａを覆うように敷設される。便座シート本体１の接着部１０は、便座シート本体１が敷設されると便座４の上面４ａに接着する。これにより、便座シートＳは便座４に固定される。また、便座シートＳは、接着部１０が何度も貼り直し可能であるので、便座４に対する便座シート本体１の配置が適切でなかった場合には、貼り直すことにより便座シート本体１を便座４の適切な位置に敷設することができる。
【００２９】
図２に示すように、前垂下部２は、山折り線Ｌが設けられていることにより、自然と便座４の前方に垂れ下がる。これにより、側面４ｂの前側部分と、上部３ａの側面の前側部分とが前垂下部２に覆われる。また、前垂下部２は切れ込み２ｃを有するので、使用者が便座シートＳに座ると前垂下部２は便座４および便器３の上部３ａの形状に沿って、しわにならずに変形することができる。
【００３０】
また、便座シートＳは、水溶性であるので、使用後には便座４から剥がし便座４の開口部４ｈに投入し水で流すことができる。便座シートＳは、剥がし跡を便座４に残さないので、後で使用する者が不快な思いをすることを防止することができる。
【００３１】
以上のように、本実施形態の便座シートＳは、何度も貼り直すことができるので、便座４の適切な位置に敷設され、しかも、便座４の上面４ａだけでなく便座４の側面４ｂの前側部分も覆うので、使用者の衣類が汚れることを適切に防止することができる。
【００３２】
以上、本考案に係る便座シートの一実施形態について説明したが、本考案は、上記実施形態に限定されるものではない。本考案は、例えば、以下の態様において実施されてもよい。
【００３３】
便座シート本体１は、便座４の上面４ａを覆うのであれば、例えば、前後方向の幅よりも左右方向の幅が長くてもよい。
【００３４】
便座シート本体１と前垂下部２との境の山折り線Ｌ（谷折り線Ｌ）は、例えば、２本の直線からなり、互いにＸ方向中央に向かってＶの字を形成してもよい。または、山折線（谷折り線Ｌ）は、便座４の形状に沿って設けられていてもよい。
【符号の説明】
【００３５】
Ｓ  便座シート
１  便座シート本体
１０  接着部
１ｈ  開口部
２  前垂下部
２ｃ  切れ込み
３  便器
３ａ  上部
３ｂ  基部
４  便座
４ａ  便座の上面
４ｂ  便座の側面
４ｈ  便座の開口部
Ｌ  谷折り線、山折り線
Ｔ  給水タンク
【図１】
0003224546.tif 000003
【図２】
0003224546.tif 000004